(57)【要約】【課題】  制御盤本体を機械室床へ固定するための取付台となる盤下ダクトに、制御盤本体の強度を補強する強度部品を設けることにより、高さの高い薄型制御盤をそのまま適用できるようにしたエレベータの制御盤据付装置を得る。【解決手段】  エレベータの機械室１に設置され、エレベータを制御する制御盤本体２ａと、この制御盤本体の下部に取り付けられ、制御盤２を機械室床１ａに固定する取付台２ｂと、機械室床に固定され、取付台を機械室床に固定する複数本のアンカーボルト５と、機械室床の上面に敷設され、取付台をアンカーボルトとともに埋め込むシンダーコンクリート１ｂとを備える。また、取付台に取り付けられ、制御盤の上部を支持固定する支持柱６と、この支持柱の下端部に取り付けられた支え具８と、取付台の前面に取り付けられた配線用ダクト９とを備える。【選択図】      図９
2005067880.tif 000002
【特許請求の範囲】
【請求項１】
エレベータの機械室に設置され、エレベータを制御する制御盤本体と、  
この制御盤本体の下部に取り付けられ、制御盤を上記機械室床に固定する取付台と、
上記機械室床に固定され、上記取付台を機械室床に固定する複数本のアンカーボルトと、
上記機械室床の上面に敷設され、上記取付台をアンカーボルトとともに埋め込むシンダーコンクリートと、
を備えたことを特徴とするエレベータの制御盤据付装置。
【請求項２】
エレベータの機械室に設置され、エレベータを制御する制御盤本体と、  
この制御盤本体の下部に取り付けられ、制御盤を上記機械室床に固定する取付台と、
この取付台に取り付けられ、上記制御盤の上部を支持固定する支持柱と、
上記機械室床に固定され、上記取付台を機械室床に固定する複数本のアンカーボルトと、
上記機械室床の上面に敷設され、上記取付台と支持柱の下端部をアンカーボルトとともに埋め込むシンダーコンクリートと、
を備えたことを特徴とするエレベータの制御盤据付装置。
【請求項３】
エレベータの機械室に設置され、エレベータを制御する制御盤本体と、  
この制御盤本体の下部に取り付けられ、制御盤を上記機械室床に固定する取付台と、
この取付台の背面に取り付けられ、上記制御盤の上部を支持固定する支持柱と、
この支持柱の下端部に取り付けられた支え具と、
上記取付台の前面に取り付けられた配線用ダクトと、
上記機械室床に固定され、上記取付台、支え具及び配線用ダクトを機械室床に固定する複数本のアンカーボルトと、
上記機械室床の上面に敷設され、上記取付台、支持柱の下端部、支え具及び配線用ダクトをアンカーボルトとともに埋め込むシンダーコンクリートと、
を備えたことを特徴とするエレベータの制御盤据付装置。
【請求項４】
取付台を、制御盤本体からの配線を内蔵する盤下ダクトで構成したことを特徴とする請求項１〜請求項３のいずれかに記載のエレベータの制御盤据付装置。
【請求項５】
支持柱を、取付台の背面両側に取り付けたことを特徴とする請求項２記載のエレベータの制御盤据付装置。    
【請求項６】
支持柱の高さを、制御盤の高さよりも若干高くしたことを特徴とする請求項２記載のエレベータの制御盤据付装置。
【請求項７】
支持柱の下端部に支え具を溶接により固定し、取付台の前面に配線用ダクトを溶接により固定したことを特徴とする請求項３記載のエレベータの制御盤据付装置。    
【請求項８】
配線用ダクトの前端部と、支え具の後端部とをアンカーボルトにより機械室床に固定したことを特徴とする請求項３又は請求項７記載のエレベータの制御盤据付装置。    
【発明の詳細な説明】
【技術分野】
【０００１】
この発明は、エレベータの機械室へ設置される制御盤を強固に固定するためのエレベータの制御盤据付装置に関するものである。
【背景技術】
【０００２】
従来、機械室のあるエレベータにおいては、法規上機械室に十分な広さが確保されていたため、機械室へ設置する制御盤の大きさはそれほど大きな問題にならなかった。しかし、最近では法規にとらわれないシステムが製品化可能となり、機械室に占める制御盤の大きさが製品化における最重要課題の一つになってきている。しかし、床占有面積を小さくした薄型制御盤は、自ずと床面積に比較して高さが高くなり、制御盤自体の耐震強度を確保することが困難となる。このため、床への固定による強度以上に強度の確保が必要な場合は、壁へも固定することにより必要な耐震強度を確保していた（例えば、特許文献１、２参照）。  
【０００３】
【特許文献１】特開昭６０−８７１８２号公報
【特許文献２】実開昭５５−１１３３６８号公報
【発明の開示】
【発明が解決しようとする課題】
【０００４】
上記従来のエレベータの制御盤では、制御盤が占める床面積に対して高さの高い薄型制御盤を十分な大きさが確保された機械室へ適用した場合、壁への固定が不可能なことが発生する。この場合は薄型制御盤単独で耐震強度を確保する必要があり、機械室の天井等に取り付けられた支え金具等を追加して地震時に薄型制御盤が転倒しないような工夫を施す必要があった。或いはまた、別途自立した状態で耐震強度を十分に確保した薄型以外の制御盤を適用する必要があった。
【０００５】
この発明は、上述のような課題を解決するためになされたもので、その目的は、制御盤本体を機械室床へ固定するための取付台となる盤下ダクトに、制御盤本体の強度を補強する強度部品を設けることにより、高さの高い薄型制御盤をそのまま適用できるようにしたエレベータの制御盤据付装置を提供するものである。
【課題を解決するための手段】
【０００６】
この発明に係るエレベータの制御盤据付装置は、エレベータの機械室に設置され、エレベータを制御する制御盤本体と、この制御盤本体の下部に取り付けられ、制御盤を機械室床に固定する取付台と、機械室床に固定され、取付台を機械室床に固定する複数本のアンカーボルトと、機械室床の上面に敷設され、取付台をアンカーボルトとともに埋め込むシンダーコンクリートとを備えたものである。
【０００７】
また、この発明に係るエレベータの制御盤据付装置は、エレベータの機械室に設置され、エレベータを制御する制御盤本体と、この制御盤本体の下部に取り付けられ、制御盤を機械室床に固定する取付台と、この取付台に取り付けられ、制御盤の上部を支持固定する支持柱と、機械室床に固定され、取付台を機械室床に固定する複数本のアンカーボルトと、機械室床の上面に敷設され、取付台と支持柱の下端部をアンカーボルトとともに埋め込むシンダーコンクリートとを備えたものである。
【０００８】
また、この発明に係るエレベータの制御盤据付装置は、エレベータの機械室に設置され、エレベータを制御する制御盤本体と、この制御盤本体の下部に取り付けられ、制御盤を機械室床に固定する取付台と、この取付台の背面に取り付けられ、制御盤の上部を支持固定する支持柱と、この支持柱の下端部に取り付けられた支え具と、取付台の前面に取り付けられた配線用ダクトと、機械室床に固定され、取付台、支え具及び配線用ダクトを機械室床に固定する複数本のアンカーボルトと、機械室床の上面に敷設され、取付台、支持柱の下端部、支え具及び配線用ダクトをアンカーボルトとともに埋め込むシンダーコンクリートとを備えたものである。
【発明の効果】
【０００９】
この発明は、エレベータの機械室に設置され、エレベータを制御する制御盤本体と、この制御盤本体の下部に取り付けられ、制御盤を機械室床に固定する取付台と、機械室床に固定され、取付台を機械室床に固定する複数本のアンカーボルトと、機械室床の上面に敷設され、取付台をアンカーボルトとともに埋め込むシンダーコンクリートとを備えたので、制御盤の転倒耐力が向上するという効果がある。
【００１０】
また、この発明は、エレベータの機械室に設置され、エレベータを制御する制御盤本体と、この制御盤本体の下部に取り付けられ、制御盤を機械室床に固定する取付台と、この取付台に取り付けられ、制御盤の上部を支持固定する支持柱と、機械室床に固定され、取付台を機械室床に固定する複数本のアンカーボルトと、機械室床の上面に敷設され、取付台と支持柱の下端部をアンカーボルトとともに埋め込むシンダーコンクリートとを備えたので、制御盤の転倒耐力が更に向上するという効果がある。
【００１１】
また、この発明は、エレベータの機械室に設置され、エレベータを制御する制御盤本体と、この制御盤本体の下部に取り付けられ、制御盤を機械室床に固定する取付台と、この取付台の背面に取り付けられ、制御盤の上部を支持固定する支持柱と、この支持柱の下端部に取り付けられた支え具と、取付台の前面に取り付けられた配線用ダクトと、機械室床に固定され、取付台、支え具及び配線用ダクトを機械室床に固定する複数本のアンカーボルトと、機械室床の上面に敷設され、取付台、支持柱の下端部、支え具及び配線用ダクトをアンカーボルトとともに埋め込むシンダーコンクリートとを備えたので、制御盤の転倒耐力がより一段と向上するという効果がある。
【発明を実施するための最良の形態】
【００１２】
実施の形態１．
図１はこの発明の実施の形態１におけるエレベータの昇降路上部の機械室内部構造を示す斜視図、図２はこの発明の実施の形態１におけるエレベータの制御盤本体を示す斜視図、図３はこの発明の実施の形態１におけるエレベータの制御盤の盤下ダクトを示す斜視図、図４はこの発明の実施の形態１におけるエレベータの制御盤据付装置を示す側面図である。  
図において、エレベータの昇降路の上部に設けられている機械室１は、機械室床１ａと、この機械室床の上面に敷設されたシンダーコンクリート１ｂと、このシンダーコンクリート１ｂに立設されて、エレベータを制御するための薄型制御盤２と、シンダーコンクリート１ｂ上に配置された巻上機３と、この巻上機を駆動する巻上モータ３ａと、制御盤２と巻上モータ３ａとを接続する配線装置４から構成され、接続配線を内蔵した床ダクト又は床配管がシンダーコンクリート１ｂ内に埋設されている。上記薄型制御盤２は、制御盤が占める床面積を小さく構成され、かつ床面積に対して高さが高くなるよう薄型に構成された縦長箱状の制御盤本体２ａと、この制御盤本体の下部に設けられ、制御盤２を機械室床１ａへ固定するための取付台となる横長箱状の盤下ダクト２ｂとから構成されている。制御盤本体２ａの下面には６個の取付穴２ｃと、１個の配線用角穴２ｄが設けられている。また盤下ダクト２ｂの上面には制御盤本体２ａの取付穴２ｃに対応する位置に６個の取付穴２ｅが設けられている。また、盤下ダクト２ｂの下面は機械室床１ａに固定された６本のアンカーボルト５とナット等により強固に支持固定されており、さらに１００ｍｍの厚さのシンダーコンクリート１ｂで埋めることにより転倒モーメントに対する耐力が十分にアップされている（図４参照）。なお、制御盤本体２ａの下面は盤下ダクト２ｂの上面に６本の取付ボルトとナット等により強固に固定されている。  
【００１３】
このように構成されたエレベータの制御盤据付装置においては、複数本のアンカーボルトで盤下ダクトを機械室床に固定し、さらに盤下ダクト全体をシンダーコンクリートで埋設するため、機械計算上から見ても、従来の数点による支えから面による支えに変更することができ、計算の数値上からも格段に薄型制御盤の転倒耐力が上がる効果がある。
【００１４】
実施の形態２．
図５はこの発明の実施の形態２におけるエレベータの制御盤本体を示す斜視図、図６はこの発明の実施の形態２におけるエレベータの制御盤の盤下ダクトを示す斜視図、図７はこの発明の実施の形態２におけるエレベータの制御盤据付装置を示す側面図である。  
図において、実施の形態１と同一又は相当部分には同一符号を付して説明を省略する。制御盤本体２ａの上面後側には２個の取付穴２ｆが設けられている。また盤下ダクト２ｂの背面両側には左右一対の角柱状の支持背柱６が強固に取り付けられ、その高さは制御盤本体２ａの高さよりも若干高くなるように設定されている。この支持背柱６は、強度上からは盤下ダクト２ｂに溶接により一体的に取り付けるのが好ましいが、輸送上嵩張るという問題があるので、ボルト接合でも構わないものである。また支持背柱６の上端部前面には取付穴６ａが設けられている。そして、制御盤本体２ａの上面後側の取付穴２ｆと支持背柱６の上端部前面の取付穴６ａとの間に跨って設けられ、取付穴２ｆ及び６ａに対応する位置に貫通穴７ａがそれぞれ設けられたＬ字状の取付金具７と、これら両者を締め付け固定する取付ボルトとナット等により強固に固定されるものである。
【００１５】
このように構成されたエレベータの制御盤据付装置においては、複数本のアンカーボルトで盤下ダクトを機械室床に固定し、さらに盤下ダクト全体をシンダーコンクリートで埋設するとともに、制御盤本体を支持背柱により固定しているため、薄型制御盤の転倒耐力が更に向上する効果がある。
【００１６】
実施の形態３．
図８はこの発明の実施の形態３におけるエレベータの制御盤の盤下ダクトを示す斜視図、図９はこの発明の実施の形態３におけるエレベータの制御盤据付装置を示す側面図である。  
図において、実施の形態１及び実施の形態２と同一又は相当部分には同一符号を付して説明を省略する。制御盤２の盤下ダクト２ｂの背面両側に設けられた左右一対の支持背柱６の下端部に支え金具８を溶接により取り付け、この支え金具の後端部を別のアンカーボルト５ａにより強固に固定している。さらに制御盤２の盤下ダクト２ｂの前面壁両側に配線用ダクト９を溶接により取り付け、この配線用ダクト９の前端部を別のアンカーボルト５ｂにより強固に固定している。従って、制御盤２の盤下ダクト２ｂの下面は機械室床１ａに固定された６本のアンカーボルト５とナット等により強固に支持固定され、また支え金具８の後端部は別のアンカーボルト５ａにより、また配線用ダクト９の前端部は別のアンカーボルト５ｂによりそれぞれ強固に支持固定された上で、さらに１００ｍｍの厚さのシンダーコンクリート１ｂで埋めることにより転倒モーメントに対する耐力がより一層アップされる（図９参照）。
【００１７】
このように構成されたエレベータの制御盤据付装置においては、複数本のアンカーボルトで制御盤の盤下ダクトと支持背柱の支え金具と配線用ダクトとを機械室床に固定し、さらに盤下ダクト全体、支持背柱の支え金具及び配線用ダクトをシンダーコンクリートで埋設するとともに、制御盤本体を支持背柱により固定しているため、薄型制御盤の転倒耐力がより一段と向上する効果がある。
【００１８】
実施の形態４．
なお、上記実施の形態２及び３では、盤下ダクト２ｂの背面両側に左右一対の角柱状の支持背柱６を強固に取り付けたが、盤下ダクト２ｂの側面部両側又は左右側面部に支持側面柱として強固に取り付けても、同様の効果が得られることは勿論である。
【図面の簡単な説明】
【００１９】
【図１】この発明の実施の形態１におけるエレベータの昇降路上部の機械室内部構造を示す斜視図である。
【図２】この発明の実施の形態１におけるエレベータの制御盤本体を示す斜視図である。
【図３】この発明の実施の形態１におけるエレベータの制御盤の盤下ダクトを示す斜視図である。
【図４】この発明の実施の形態１におけるエレベータの制御盤据付装置を示す側面図である。
【図５】この発明の実施の形態２におけるエレベータの制御盤本体を示す斜視図である。
【図６】この発明の実施の形態２におけるエレベータの制御盤の盤下ダクトを示す斜視図である。
【図７】この発明の実施の形態２におけるエレベータの制御盤据付装置を示す側面図である。
【図８】この発明の実施の形態３におけるエレベータの制御盤の盤下ダクトを示す斜視図である。
【図９】この発明の実施の形態３におけるエレベータの制御盤据付装置を示す側面図である。
【符号の説明】
【００２０】
１  機械室
１ａ  機械室床
１ｂ  シンダーコンクリート
２  薄型制御盤
２ａ  制御盤本体
２ｂ  盤下ダクト
２ｃ、２ｅ、２ｆ、６ａ  取付穴
２ｄ  配線用角穴
３  巻上機
３ａ  巻上モータ    
４  配線装置
５、５ａ、５ｂ  アンカーボルト
６  支持背柱
７  取付金具
７ａ  貫通穴
８  支え金具
９  配線用ダクト  
【図１】
2005067880.tif 000003
【図２】
2005067880.tif 000004
【図３】
2005067880.tif 000005
【図４】
2005067880.tif 000006
【図５】
2005067880.tif 000007
【図６】
2005067880.tif 000008
【図７】
2005067880.tif 000009
【図８】
2005067880.tif 000010
【図９】
2005067880.tif 000011